【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
起動したプログラムを実行して所定の機能を提供する情報処理装置であって、
暗号化された、前記プログラム及び外部装置から認証を受けるために用いる情報をそれぞれ記憶する第１の記憶手段と、
前記外部装置から認証を受けるために用いる情報とは異なる認証情報を記憶する第２の記憶手段と、  
前記第２の記憶手段に記憶された認証情報を用いて、前記暗号化されたプログラムを復号して起動させる起動手段と、を有し、
前記起動手段により起動されたプログラムによって、前記認証情報を用いて復号された前記外部装置から認証を受けるために用いる情報を、前記外部装置へ送信することを特徴とする情報処理装置。
【請求項２】
前記起動されたプログラムが、前記外部装置から認証を受けるために用いる情報を前記外部装置へ送信することによって前記外部装置に認証を要求し、前記外部装置から認証成立の認証結果を取得することを特徴とする請求項１に記載の情報処理装置。
【請求項３】
前記外部装置から認証を受けるために用いる情報を用いた前記外部装置との認証が行われた後、前記起動されたプログラムを実行することで前記所定の機能を提供することを特徴とする請求項１又は２に記載の情報処理装置。
【請求項４】
前記所定の機能は、前記外部装置から当該情報処理装置が通信可能な端末リストを取得して一覧表示する機能である、ことを特徴とする請求項１乃至３のいずれか１項に記載の情報処理装置。
【請求項５】
前記起動手段は、暗号化されていない復号プログラムを実行し、前記復号プログラムにより前記第２の記憶手段に記憶された認証情報を用いて前記第１の記憶手段に記憶された暗号化されたプログラムを復号して起動させることを特徴とする請求項１乃至４のいずれか１項に記載の情報処理装置。
【請求項６】
前記起動手段により起動されたプログラムによって、前記外部装置から認証を受けるために用いる情報に加えて、
前記認証情報を前記外部装置へ送信することを特徴とする請求項１乃至５いずれか１項に記載の情報処理装置。
【請求項７】
前記認証情報により暗号化された復号キーを記憶する第３の記憶手段を有し、
前記認証情報及び前記認証情報を用いて復号された前記復号キーで復号された前記外部装置から認証を受けるために用いる情報を用いて、前記外部装置に認証を要求することを特徴とする請求項６に記載の情報処理装置。
【請求項８】
前記起動手段は、前記認証情報を用いて前記第３の記憶手段に記憶されている前記復号キーを復号し、復号した前記復号キーにより前記プログラムを復号して該プログラムを起動させる、ことを特徴とする請求項７に記載の情報処理装置。
【請求項９】
入力手段をさらに有し、
前記入力手段による入力がなされると、前記起動手段は、前記プログラムを起動させることを特徴とする請求項１乃至８のいずれか１項に記載の情報処理装置。
【請求項１０】
前記入力手段は、当該情報処理装置の電源ボタンであることを特徴とする請求項９に記載の情報処理装置。
【請求項１１】
前記第２の記憶手段は、ＢＩＯＳ  ＲＯＭ（ＢａｓｉｃＩｎｐｕｔＯｕｔｐｕｔ  ＲｅａｄＯｎｌｙＭｅｍｏｒｙ）であることを特徴とする請求項１乃至１０のいずれか１項に記載の情報処理装置。
【請求項１２】
前記起動手段がプログラムを起動できない場合、前記プログラムを起動できないことを示す情報を提供することなく前記プログラムを起動させる処理を終了する、
ことを特徴とする請求項１乃至１１のいずれか１項に記載の情報処理装置。
【請求項１３】
前記認証が成立しなかった場合、前記認証が成立しなかったことを示す情報を提供することを特徴とする請求項１乃至１２のいずれか１項に記載の情報処理装置。
【請求項１４】
前記認証情報はパスワードであることを特徴とする請求項１乃至１３のいずれか１項に記載の情報処理装置。
【請求項１５】
前記外部装置から認証を受けるために用いる情報は装置固有の情報であることを特徴とする請求項１乃至１４のいずれか１項に記載の情報処理装置。
【請求項１６】
起動したプログラムを実行して所定の機能を提供する情報処理装置及び情報処理装置を認証する外部装置を備えるシステムであって、
前記情報処理装置は、
暗号化された、前記プログラム及び外部装置から認証を受けるために用いる情報をそれぞれ記憶する第１の記憶手段と、
前記外部装置から認証を受けるために用いる情報とは異なる認証情報を記憶する第２の記憶手段と、  
前記第２の記憶手段に記憶された認証情報を用いて、前記暗号化されたプログラムを復号して起動させる起動手段と、
前記起動手段により起動されたプログラムによって、前記認証情報を用いて復号された外部装置から認証を受けるために用いる情報を前記外部装置に送信する送信手段と、を有し、
前記外部装置は、
前記情報処理装置から送信された前記外部装置から認証を受けるために用いる情報を用いて前記情報処理装置を認証する認証手段、を有することを特徴とするシステム。
【請求項１７】
起動したプログラムを実行して所定の機能を提供する情報処理装置に、
暗号化された、外部装置から認証を受けるために用いる情報を記憶している第１の記憶手段に記憶されている暗号化されたプログラムを、第２の記憶手段に記憶された前記外部装置から認証を受けるために用いる情報とは異なる認証情報を用いて復号して起動させる起動ステップと、
前記起動ステップにより起動されたプログラムによって、前記認証情報を用いて復号された前記外部装置から認証を受けるために用いる情報を、前記外部装置へ送信するステップと、を実行させるためのプログラム。
【請求項１８】
前記起動されたプログラムによって、前記外部装置から認証を受けるために用いる情報を前記外部装置へ送信することによって前記外部装置に認証を要求し、前記外部装置から認証成立の認証結果を取得することを特徴とする請求項１７に記載のプログラム。
【請求項１９】
情報処理装置によって実行される認証方法であって、
前記情報処理装置が、
暗号化された、外部装置から認証を受けるために用いる情報を記憶している第１の記憶手段に記憶されている暗号化されたプログラムを、第２の記憶手段に記憶された前記外部装置から認証を受けるために用いる情報とは異なる認証情報を用いて復号して起動させる起動ステップと、
前記起動ステップにより起動されたプログラムによって、前記認証情報を用いて復号された前記外部装置から認証を受けるために用いる情報を、前記外部装置へ送信するステップと、を実行することを特徴とする認証方法。
【請求項２０】
前記情報処理装置がさらに、
前記起動されたプログラムによって、前記外部装置から認証を受けるために用いる情報を前記外部装置へ送信することによって前記外部装置に認証を要求し、前記外部装置から認証成立の認証結果を取得することを特徴とする請求項１９に記載の認証方法。
【手続補正２】
【補正対象書類名】明細書
【補正対象項目名】発明の名称
【補正方法】変更
【補正の内容】
【発明の名称】情報処理装置、システム、プログラム、認証方法
【手続補正３】
【補正対象書類名】明細書
【補正対象項目名】０００９
【補正方法】変更
【補正の内容】
【０００９】
上記課題に鑑み、本発明は、起動したプログラムを実行して所定の機能を提供する情報処理装置であって、暗号化された、前記プログラム及び外部装置から認証を受けるために用いる情報をそれぞれ記憶する第１の記憶手段と、前記外部装置から認証を受けるために用いる情報とは異なる認証情報を記憶する第２の記憶手段と、前記第２の記憶手段に記憶された認証情報を用いて、前記暗号化されたプログラムを復号して起動させる起動手段と、を有し、前記起動手段により起動されたプログラムによって、前記認証情報を用いて復号された前記外部装置から認証を受けるために用いる情報を、前記外部装置へ送信することを特徴とする。